(57)【要約】      （修正有）【課題】不使用時はおもり本体と天秤とを分離し、使用時はおもり本体と天秤とを連結して釣魚用おもりとして使用することができ、重量の異なるおもり本体と形状の異なる天秤とを自由に組み合わせできる釣魚用おもりを提供する。【解決手段】支杆５の軸方向に対し天秤杆６を直角に折曲し、支杆５と天秤杆６とでＬ字形の天秤８を構成させ支杆５の先端へＬ字面に対し垂直方向に環状部９を設け支杆の基部へ球体７を固着する。支杆５の先端の環状部９の外径寸法を、おもり主体１から延設された環状部２の内側の長軸寸法よりも小径とし、環状部２の内側を自在に挿通および抜去可能としている。【選択図】図１
2010154832.tif 000002
【特許請求の範囲】
【請求項１】
前述の問題を解決するため、おもり主体の軸方向上方へ中央に互いに平行となる２本の直線部を設けている略長円の先端の面部分を略長円の面に対し垂直方向の上方へ円弧状に折曲させている環状部を、おもり主体から延設し、環状部の内側へ挿通および抜去を自在としている天秤の構成部分の支杆を挿通し、支杆の基部へ固着している球体を環状部先端の円弧状に折曲させている部分に通り抜けることなく嵌合させることにより支杆と環状部が連結され、支杆がおもり主体を吊り下げている釣魚用おもり。
【発明の詳細な説明】
【技術分野】
【０００１】  本発明は釣魚用天秤付きおもりの改良に関する。
【背景技術】
【０００２】  従来天秤付きおもり特に投げ釣り用の天秤付きおもりは、おもり主体の軸方向上方へ支杆と天秤杆が略平行に延設され、おもり主体の上端において天秤杆を支杆に対し直角に折曲し、支杆および天秤杆がＬ字形を構成して使用されている。
【発明の開示】
【発明が解決しようとする課題】
【０００３】  前述のごとく、支杆に対し直角に折曲された天秤杆は、おもり主体の軸方向に対し直角に突出しているため使用後の収納に邪魔となり、しまい場所に困るケースが多い。本発明は以上の問題点を解決しようとするものである。
【課題を解決するための手段】
【０００４】  前述の問題を解決するため、おもり主体の軸方向上方へ中央に互いに平行となる２本の直線部を設けている略長円の先端の面部分を略長円の面に対し垂直方向の上方へ円弧状に折曲させている環状部を、おもり主体から延設し、環状部の内側へ挿通および抜去を自在としている天秤の構成部分の支杆を挿通し、支杆の基部へ固着している球体を環状部先端の円弧状に折曲させている部分に通り抜けることなく嵌合させることにより支杆と環状部が連結され、支杆がおもり主体を吊り下げている状態において、おもり本体と天秤とを天秤付きおもりとして使用する。使用後はおもり本体の環状部の内側より支杆を抜去し、おもり本体と天秤とを分離して個別に収納する。
【発明の効果】
【０００５】  不使用時におもり本体と天秤とを分離し、おもり本体と天秤とを個別に取り扱いが出来ることにより、持ち運びおよび格納が容易になる効果がある。【０００６】  おもり本体の環状部へ挿通した天秤を構成している支杆が、該環状部の内側を自在に摺動できることにより、魚の鈎掛かりの際仕掛けが引かれると支杆がおもり本体の環状部から引き出され、おもり主体を引きずることなく、おもり主体の重量による減衰を受けずに明確に釣り人へ伝搬される効果がある。【０００７】  おもり本体と天秤とを自在に連結と分離ができることにより、使用時に天秤と組み合わせをするおもり本体を、号数の異なるおもり主体のなかより選択し、自由に交換することができる。【０００８】  おもり本体と天秤とを自在に連結と分離ができることにより、使用時におもり本体と組み合わせをする天秤を、形状の異なる天秤のなかより自由に選択することができる。
【実施例１】
【０００９】  図１に示すごとく、支杆５の軸方向に対し天秤杆６を直角に折曲し、支杆５と天秤杆６とでＬ字形の天秤８を構成させ支杆５の先端へＬ字面に対し垂直方向に環状部ｂ９を設け支杆の基部へ球体７を固着し天秤杆６の先端へＬ字面に対し平行方向に環状部ｃ１０を設け、キャスト時におもり本体３と天秤８とが振り回されることにより発生する遠心力が環状部ａ２の先端を介し球体７へ負荷として加わるため球体７の変形および破損防止として金属材を球体７に使用する。【００１０】  図１に示すごとく、支杆５の先端の環状部ｂ９の外径寸法を、おもり主体１から延設された環状部ａ２の内側の長軸寸法よりも小径とし、環状部ａ２の内側を自在に挿通および抜去可能としている。【００１１】  図３と図４および図５に示すごとく、おもり主体１と環状部ａ２によりおもり本体３が構成されおもり主体１の軸方向上方へ先端を円弧状に折曲した略長円の環状部ａ２を延設し環状部ａ２の後端をＹ字状に折曲して略長円のループを閉じ、おもり主体１の軸方向に対し平行に直線部１３を設け直線部１３をおもり主体１に埋設している。【００１２】  図５に示すごとく、おもり主体１に埋設されている直線部１３の後端をおもり主体１の軸方向に対し直角に折曲し、おもり主体１より環状部ａ２が抜脱することを防止している。【００１３】  図６に示すごとく、環状部ａ２の先端を円弧状に折曲し円弧の半径図示Ｒを球体７の半径と同寸法以上に設定することにより球体７の外周部を円弧状折曲部４の内面側と嵌合可能としている。【００１４】  図４に示すごとく、直線部図示ａおよび直線部図示ｂをおもり主体１の軸方向に対し平行とすることにより図７に示すごとく、支杆基部に設けた球体７が直線部図示ａおよび直線部図示ｂの面上を摺動可能とし、環状部ａ２の内側の図示寸法ｃを球体７の外形寸法より狭くすることにより球体７による環状部ａ２の内側の通り抜けを防止している。【００１５】  図６および図７に示すごとく、環状部ａ２の内側へ挿通した支杆５がおもり主体１の軸方向上方へ引かれる際に、支杆基部に固着されている球体７が環状部先端の円弧状折曲部４に沿い摺動しつつ円弧状折曲部先端１４の内面側へ突き当たると同時に、図８に示すごとく、支杆５が環状部ａ２の先端に設けた倒立Ｖ字状折曲部１６の内面側の頂点図示ｄへ突き当たり、支杆５の移動が固定されることにより球体７がおもり本体３を安定した状態にて吊り下げ、図１および図２に示すごとくおもり本体３と天秤８とが連結され天秤付きおもりとして使用ができる。【００１６】  図７に示すごとく、魚の鈎掛かりにより、支杆５がおもり主体１の方向へ引かれる際は、支杆基部に固着されている球体７がおもり主体１の方向に向け直線部図示ａおよび直線部図示ｂの面上を摺動しＹ字状折曲部１５に接触することにより環状部ａ２の面上に対し垂直方向の斜め上方へ向けて跳ね上がり、支杆５が環状部ａ２の内側から自在に飛び出ることが可能となり、おもり主体１を引きずることがなく魚信が明確に釣り人へ伝搬される。
【実施例２】
【００１７】  図９と図１０および図１１に示すごとく、使用時におもり本体３と組み合わせをする天秤を形状の異なる天秤のなかより自由に選択することができる実施例２について説明する。【００１８】  図９と図１０および図１１に示すごとく、直線状をなす支杆ａ１７に挿通した球体ａ１８および球体ｂ１９に挟持されたパイプ２０を支杆ａ１７の下端に設けたＵ字状折曲部２２に固着し、パイプ２０の外周へ直線状を」なす天秤杆ａ２３の上端に設けた環状折曲部２４を回動可能に外嵌めし支杆ａ１７の上端へ道糸ａ２５を連結する環状部ｄ２６を設け、天秤杆ａ２３の下端へ仕掛けａ２７を連結する環状部ｅ２８を設けている。【００１９】  図９および図１０に示すごとく、天秤杆ａ２３の先端に設置された環状折曲部２４の内径を球体ａ１８および球体ｂ１９の外径よりも小径とし環状折曲部２４が球体ａ１８および球体ｂ１９の外周を通過不能としている。【００２０】  図９に示すごとく、天秤杆ａ２３の環状折曲部２４の内径をパイプ２０の外径より大きく設けることにより天秤杆ａ２３を図示θの角度にて揺動させ環状折曲部２４を支杆ａ１７の軸方向に対し下方へ向けくの字状に折曲し支杆ａ１７の軸方向に対し図示Ｐ１の位置から図示Ｐ２の位置の範囲図示ｅにおいて揺動可能としている。【００２１】  図９に示すごとく、球体ａ１８と球体ｂ１９およびパイプ２０が支杆ａ１７へ固着されることにより、球体ａ１８と球体ｂ１９およびパイプ２０の間隔が常に一定となりパイプ２０の外周に外嵌めされている天秤杆ａ２３を常時回動可能および常時揺動可能としている。【００２２】  図９に示すごとく、キャストの際は、竿を中心としておもり本体３と天秤ａ２１が振り回されることにより発生する遠心力がおもり本体３を吊り下げている支杆基部２９の球体ａ１８と球体ｂ１９およびパイプ２０に大きな負荷として加わるために破損防止として球体ａ１８と球体ｂ１９およびパイプ２０の使用材を金属として強度を高め支杆基部２９よりおもり本体３が抜脱することを防止している。【００２３】  図９に示すごとく、飛行の際は、仕掛けａ２７とともに空気抵抗を受ける天秤杆ａ２３は揺動範囲図示ｅの最後端図示Ｐ１の位置を保ち、水底においてさびかれる際は、水の抵抗を受け仕掛けａ２７と天秤杆ａ２３がさびかれる進行方向の後方へ向けて引かれることにより天秤杆ａ２３は揺動範囲の最先端図示Ｐ２の位置を保ち、仕掛けの回収時においても図示Ｐ２の位置を保ち続けることにより天秤杆ａ２３に加わる水の抵抗が最小となり、リールの巻上げが軽くなる結果リールを巻き上げる力の大小の違いを判別できることにより、鈎掛かりした魚の大小を予測可能としている。【００２４】  図１０に示すごとく、水底においてさびかれる際のおもり本体３と天秤ａ２１は、魚の鈎掛かりにより仕掛けａ２７を介して天秤ａ２１がさびかれる進行方向の後方へ引かれ支杆ａ１７がおもり本体３の環状部ａ２の内側をおもり主体１をひきずることなく通過することにより魚信はおもり主体１の重量による減衰を受けることがなく明確に釣り人へ伝搬される。【００２５】  従来使用されているおもり主体へ固定された支杆と天秤杆とがＬ字形を構成している天秤付きおもりは、魚の鈎掛かり又は根掛���り通り等により仕掛けを介して強く引かれる天秤杆が、支杆の軸方向の下方に向けくの字状に折曲されてしまうことが多く、飛距離を伸ばすことを目的とし使用されている天秤においては、くの字状の折曲による天秤杆の変形および破損と飛距離との妥協寸法として天秤杆の使用線材径を１．１ｍｍ前後としているが、実施例２においては図１０に示すごとく、天秤ａ２１が引かれる力の大小に関わらず天秤杆ａ２３と支杆ａ１７が略直線状に姿勢をとり天秤杆ａ２３が折曲されることがなく天秤杆ａ２３に使用する線材径を０．６ｍｍから０．８ｍｍと細くすることができ、飛行中の空気抵抗を減少させる結果として飛距離を伸ばすことを可能としている。
【図面の簡単な説明】
【００２６】
【図１】  本発明の使用状態を示す斜視図
【図２】  本発明の使用状態を示す正面図
【図３】  本発明のおもり本体の正面図
【図４】  本発明のおもり本体の平面図
【図５】  図３に示すおもり本体のＡ−Ａ断面図
【図６】  図２に示す正面図の要部の部分拡大図
【図７】  図６に示すものの平面図
【図８】  図６に示すものの右側面図
【図９】  実施例２の使用状態を示す斜視図１
【図１０】  実施例２の使用状態を示す斜視図２
【図１１】  実施例２における天秤の分解斜視図
【符号の説明】
【００２７】    １    おもり主体
２    環状部ａ
３    おもり本体
４    円弧状折曲部
５    支杆
６    天秤杆
７    球体
８    天秤
９    環状部ｂ
１０  環状部ｃ
１１  仕掛け
１２  道糸
１３  直線部
１４  円弧状折曲部先端
１５  Ｙ字状折曲部
１６  倒立Ｖ字状折曲部
１７  支杆ａ
１８  球体ａ
１９  球体ｂ
２０  パイプ
２１  天秤ａ
２２  Ｕ字状折曲部
２３  天秤杆ａ
２４  環状折曲部
２５  道糸ａ
２６  環状部ｄ
２７  仕掛けａ
２８  環状部ｅ
２９  支杆基部
【図１】
2010154832.tif 000003
【図２】
2010154832.tif 000004
【図３】
2010154832.tif 000005
【図４】
2010154832.tif 000006
【図５】
2010154832.tif 000007
【図６】
2010154832.tif 000008
【図７】
2010154832.tif 000009
【図８】
2010154832.tif 000010
【図９】
2010154832.tif 000011
【図１０】
2010154832.tif 000012
【図１１】
2010154832.tif 000013
【手続補正書】
【提出日】平成21年1月5日(2009.1.5)
【手続補正１】
【補正対象書類名】特許請求の範囲
【補正対象項目名】請求項１
【補正方法】変更
【補正の内容】
【請求項１】
おもり主体の軸方向上方へ中央に互いに平行となる２本の直線部を設けている略長円の先端の面部分を略長円の面に対し垂直方向の上方へ円弧状に折曲させている環状部を、おもり主体から延設し、環状部の内側へ挿通および抜去を自在としている天秤の構成部分の支杆を挿通し、支杆の基部へ固着している球体を環状部先端の円弧状に折曲させている部分に通り抜けることなく嵌合させることにより支杆と環状部が連結され、支杆がおもり主体を吊り下げている釣魚用おもり。
【手続補正２】
【補正対象書類名】明細書
【補正対象項目名】００１８
【補正方法】変更
【補正の内容】
【００１８】  図９と図１０および図１１に示すごとく、直線状をなす支杆ａ１７に挿通した球体ａ１８および球体ｂ１９に挟持されたパイプ２０を支杆ａ１７の下端に設けたＵ字状折曲部２２に固着し、パイプ２０の外周へ直線状をなす天秤杆ａ２３の上端に設けた環状折曲部２４を回動可能に外嵌めし支杆ａ１７の上端へ道糸ａ２５を連結する環状部ｄ２６を設け、天秤杆ａ２３の下端へ仕掛けａ２７を連結する環状部ｅ２８を設けている。
【手続補正３】
【補正対象書類名】明細書
【補正対象項目名】００２５
【補正方法】変更
【補正の内容】
【００２５】  従来使用されているおもり主体へ固定された支杆と天秤杆とがＬ字形を構成している天秤付きおもりは、魚の鈎掛かり又は根掛かり等により仕掛けを介して強く引かれる天秤杆が、支杆の軸方向の下方に向けくの字状に折曲されてしまうことが多く、飛距離を伸ばすことを目的とし使用されている天秤においては、くの字状の折曲による天秤杆の変形および破損と飛距離との妥協寸法として天秤杆の使用線材径を１．１ｍｍ前後としているが、実施例２においては図１０に示すごとく、天秤ａ２１が引かれる力の大小に関わらず天秤杆ａ２３と支杆ａ１７が略直線状に姿勢をとり天秤杆ａ２３が折曲されることがなく天秤杆ａ２３に使用する線材径を０．６ｍｍから０．８ｍｍと細くすることができ、飛行中の空気抵抗を減少させる結果として飛距離を伸ばすことを可能としている。